(57)【特許請求の範囲】
【請求項１】
ハウジングを有する電気髭剃機であって、ハウジング部品（Ｇ）と、水平方向平面（Ｅ）内で往復動できる少なくとも一つのカッター要素と、少なくとも一つのカッター要素（Ｓ）を有するとともに少なくとも二つの戻り止め機構（Ｒ１、Ｒ２；Ｒ３、Ｒ４）によって前記ハウジング部品（Ｇ）に取り外し自在に保持された取り外し自在のフレーム（ＷＲ）とを含み、前記戻り止め機構（Ｒ１、Ｒ２；Ｒ３、Ｒ４）は、前記取り外し自在のフレーム（ＷＲ）に設けられた着座面（２０、２１）及び係止力（ＦＲ）を及ぼす弾性的に取り付けられた戻り止め要素（１８、１９）の着座面（８０、９０）によって形成されている、電気髭剃機において、前記戻り止め機構（Ｒ１、Ｒ２；Ｒ３、Ｒ４）は、前記取り外し自在のフレーム（ＷＲ）の保持機能及び振動なし位置決め機能を前記ハウジング部品（Ｇ）に及ぼすことができ、
前記取り外し自在のフレーム（ＷＲ）の前記振動なし位置決めは、前記取り外し自在のフレーム（ＷＲ）を前記ハウジング部品（Ｇ）のストップ（ＡＧ）と係合させることによって決定され、
前記ストップ（ＡＧ）は、前記ハウジング部品（Ｇ）の内面（３６、３７）によって形成される、ことを特徴とする電気髭剃機。
【請求項２】
前記戻り止め要素の前記着座面（８０、９０）と前記取り外し自在のフレーム（ＷＲ）の前記着座面（２０、２１）とを空間的に整合させることによって、前記戻り止め要素（１８、１９）の前記係止力（ＦＲ）を位置−力成分（ＦＳ）及び保持−力成分（ＦＵ）に変換する、ことを特徴とする請求項１に記載の電気髭剃機。
【請求項３】
前記ハウジング部品（Ｇ）の前記内面（３６、３７）は、端壁（１３、１４）の構成部分である、ことを特徴とする請求項１に記載の電気髭剃機。
【請求項４】
前記位置−力成分（ＦＳ）は、前記移動自在のカッター要素（Ｓ）の揺動方向（矢印Ｐの方向）のうちの一方の方向（Ｐ１又はＰ２）だけに作用する、ことを特徴とする請求項２に記載の電気髭剃機。
【請求項５】
前記保持−力成分（ＦＵ）は、前記取り外し自在のフレーム（ＷＲ）の引き出し方向（矢印Ｅの方向）とは逆方向に作用する、ことを特徴とする請求項２に記載の電気髭剃機。
【請求項６】
前記取り外し自在のフレーム（ＷＲ）の各長さ方向側壁（５３、５４）には二つの着座面（２０、２１）が設けられている、ことを特徴とする請求項１乃至５のいずれかに記載の電気髭剃機。
【請求項７】
前記着座面は、共通の原点から、ｘ軸に対して所定の傾斜で且つｙ軸及びｚ軸に対して所定の傾斜で延びている、ことを特徴とする請求項１乃至６のいずれかに記載の電気髭剃機。
【請求項８】
前記取り外し自在のフレーム（ＷＲ）の長さ方向側壁（５３、５４）に設けられた全ての着座面（２０、２１）は、前記ストップ（ＡＧ）に対して、座標軸ｘ及びｙ並びにｘ及びｚに関して原点に対して上り坂をなすように構成されている、ことを特徴とする請求項１乃至７のいずれかに記載の電気髭剃機。
【請求項９】
少なくとも一つの着座面（８０、９０）が戻り止め要素（１８、１９）に設けられている、ことを特徴とする請求項１乃至８のいずれかに記載の電気髭剃機。
【請求項１０】
二つの着座面（８０、９０）が戻り止め要素（１８、１９）に設けられている、ことを特徴とする請求項１乃至９のいずれかに記載の電気髭剃機。
【請求項１１】
前記着座面（８０、９０）は、互いに対して楔状をなして延びるように形成されている、ことを特徴とする請求項１０に記載の電気髭剃機。
【請求項１２】
前記戻り止め要素（１８、１９）の前記着座面（８０、９０）を、前記取り外し自在のフレーム（ＷＲ）の前記着座面（２０、２１）に整合させる、ことを特徴とする請求項１乃至１１のいずれかに記載の電気髭剃機。
【請求項１３】
前記戻り止め要素（１８、１９）の前記着座面（８０、９０）と前記取り外し自在のフレーム（ＷＲ）の前記着座面（２０、２１）との整合は、接触線（１００）に沿った線をなした接触によって決定される、ことを特徴とする請求項１２に記載の電気髭剃機。
【請求項１４】
前記ハウジング部品（Ｇ）に配置された前記戻り止め要素（１８、１９）には、ばね要素（５２）が作用するようになっている、ことを特徴とする請求項１乃至１３のいずれかに記載の電気髭剃機。
【請求項１５】
反対方向に作用する二つの戻り止め要素（１８、１９）に当接するばね要素（５２）が設けられている、ことを特徴とする請求項１２に記載の電気髭剃機。
【発明の詳細な説明】
【０００１】
本発明は、請求項１の従来技術部分による電気髭剃機に関する。
【０００２】
このような種類の電気髭剃機は、ドイツ国特許第ＤＥ  ３３  ０２  ６１０  Ａ１号から知られている。ハウジング部品に配置された取り外し自在のフレームは、フランジがハウジング押縁に着座しており、凹所と係合する突出部が形成する積極−係合戻り止め装置によってハウジングに連結されている。前記装置は、移動自在のカッター要素の二つの作用方向に作用する。
【０００３】
取り外し自在のフレームを受け入れて保持するためのハウジング部品は、電気髭剃機のハウジングに取り外し自在に配置されているのがよく（ドイツ国特許第ＤＥ  ３３  ０２  ６１０  Ａ１号参照）、又はハウジングにしっかりと連結されているのがよい（ドイツ国特許第ＤＥ  ４４  １０  ５４３  Ｃ１号及び図１０参照）。
【０００４】
取り外し自在のフレームを振動なしに着座する目的のため、取り外し自在のフレームと電気髭剃機のハウジング部品との間を積極的に連結するには、協働する積極−係合要素を相対的に移動しないように係合させる、即ち、隙間なし積極係合を行う必要がある。隙間なし積極係合は、高い製造費用で得ることができるが、それにもかかわらず、協働する積極係合要素が使用中に経時的に摩耗したり変形したりし、これによって、少なくとも一つのカッター要素を装着した取り外し自在のフレームの振動を確実に阻止するという所望の効果が得られなくなる恐れがある。
【０００５】
ドイツ国特許第ＤＥ  １９６  ３２  ３３３  Ｃ１号から、上述した種類の電気髭剃機が知られている。この電気髭剃機では、ハウジング部品の取り外し自在のフレームの座の摩耗を確実に阻止するけれども、この知られた電気髭剃機では、移動自在に取り付けられた圧力要素等の追加の装置がハウジングに設けられている。このような追加の装置には、ハウジング部品に設けられたストップに取り外し自在のフレームを押し付けるばね要素が作用する。
【０００６】
本発明の目的は、取り外し自在のフレームを上述した種類の電気髭剃機のハウジング部品に解放自在に取り付け、取り外し自在のフレームをハウジング部品に振動無しに取り付けることを簡単に且つ安価な費用で行うことである。
【０００７】
本発明によれば、この目的は、請求項１の特徴部分に記載の特徴を備えた、上述した種類の電気髭剃機で達成される。
【０００８】
本発明の大きな利点は、取り外し自在のフレームをハウジング部品に解放自在に保持する現存の戻り止め装置を、取り外し自在のフレームをハウジング部品に確実に振動なしに着座するのに用いることによって、費用が発生する追加の構成要素についての必要をなくすということである。
【０００９】
本発明の好ましい実施の形態では、戻り止め要素の着座面と取り外し自在のフレームの着座面とを空間的に整合することによって、戻り止め要素の係止力を位置−力成分及び保持−力成分に変換できる。この実施の形態の別の特徴では、位置−力成分が取り外し自在のフレームの着座面に作用した状態で取り外し自在のフレームをハウジング部品のストップと係合させることによって、取り外し自在のフレームの振動なし位置決めが決定される。これらの構成の大きな利点は、当該技術の現状（ドイツ国特許第ＤＥ  １９６  ３２  ３３３  Ｃ１号参照）からの発展にあり、唯一必要とされることは、戻り止め要素の現存の着座面及び取り外し自在のフレームに設けられた着座面について、異なる形状を与え、全ての着座面の空間的整合により、保持−力成分及び共通の方向に向かう位置−力成分への戻り止め要素の係止力の変換を行うことである。これは、純粋に、戻り止め要素及び取り外し自在のフレームの射出成形金型を変更するだけで行うことができる形状設計上の事項である。
【００１０】
本発明の好ましい実施の形態では、ストップは、ハウジング部品の内面によって形成される。この実施の形態は、例えば、取り外し自在のフレームを振動なしに着座するための座又は支持体としてハウジング部品の現存の壁を用いるため、費用の増大を伴わない。戻り止め要素の着座面及び取り外し自在のフレームの着座面で生じる摩耗、及び取り外し自在のフレーム及びストップの協働表面で生じる摩耗は、戻り止め要素の係止力により自動的に補償される。
【００１１】
本発明の別の特徴では、ストップは、ハウジング部品の内面に設けられている。本発明の更に別の特徴では、内面はハウジング部品の端壁の構成部分である。これらの実施の形態の本質的利点は、これらの実施の形態が、同様に、別の新たな機能を実行する上で、ハウジング部品の端壁等の現存の構成要素を用いるということである。
【００１２】
本発明の好ましい実施の形態は、位置−力成分が移動自在のカッター要素の揺動方向のうちの一方の方向だけに作用することを特徴とする。これには、戻り止め要素の着座面の対応する輪郭により、取り外し自在のフレームをハウジング部品に何等かの方法で着座でき且つ係止できるという利点がある。
【００１３】
本発明の一実施の形態では、保持−力成分は、ハウジング部品からの取り外し自在のフレームの引き出し方向とは逆方向に作用する。
【００１４】
本発明の好ましい実施の形態では、取り外し自在のフレームの各長さ方向側壁に二つの着座面が設けられている。
【００１５】
本発明の特に有利な実施の形態は、着座面が、共通の原点から始まって、ｘ軸、ｙ軸、及びｚ軸に対して傾斜をなして延びている。本発明の好ましい実施の形態では、取り外し自在のフレームの長さ方向側壁に設けられた全ての着座面が、ストップに対して、座標軸ｘ及びｙ並びにｘ及びｚに関して、共通の原点に対して上り坂をなすように構成されている。これらの実施の形態に適合させる上で、本発明の別の特徴では、少なくとも一つの着座面が戻り止め要素に設けられている。本発明の好ましい実施の形態では、二つの着座面が戻り止め要素に設けられている。この最後に言及した実施の形態の別の特徴では、着座面は、互いに対して楔状をなして延びるように形成されている。この実施の形態の大きな利点は、取り外し自在のフレームをハウジング部品上に配置し、フレーム用の戻り止め要素によってハウジング部品に係止し、フレームをハウジング部品のストップに対して振動がないように保持するとき、取り外し自在のフレームを特定の着座方向に設置する必要をなくすということにある。
【００１６】
本発明の別の実施の形態では、戻り止め要素の着座面の整合を、本質的には、取り外し自在のフレームの着座面の整合と適合させる。この実施の形態の別の特徴では、戻り止め要素の着座面の形状は、協働する着座面の係合が線をなした接触によって決定されるように、取り外し自在のフレームの着座面に適合されている。本発明の別の実施の形態は、戻り止め要素の着座面と取り外し自在のフレームの着座面との係合が点をなした接触によって決定されることを特徴とする。
【００１７】
本発明の更に別の実施の形態では、ハウジング部品に配置された戻り止め要素にばね要素が作用するようになっている。好ましくは、反対方向に作用する二つの戻り止め要素に作用するようにばね要素が設けられている。
【００１８】
本発明の実施の形態を添付図面を参照して以下に詳細に例示し且つ説明する。
【００１９】
図１は、作動スイッチ２が前パネルに配置されるとともにトリマーユニットＴＳが調節自在に取り付けられたハウジング１を有する電気髭剃機ＴＲを示す。ハウジング１の底壁には、電源コードを連結するためのソケット３が設けられている。ハウジング１にはシェービングヘッドが着座しており、このシェービングヘッドのハウジング部品Ｇには、少なくとも一つのカッター要素Ｓを含む取り外し自在のフレームＷＲが取り外し自在に固定されている。シェービングヘッドのハウジング部品Ｇにはハウジングが二つの支持要素４及び５によって連結されている。支持要素４及び５は、ハウジング部品Ｇとともに矢印Ｐの方向で前後に移動するように、ハウジング１に取り付けられている。別の実施の形態では、支持要素４、５は、ハウジング１内又はハウジング１上に動かないように固定される。
【００２０】
図２は、ハウジングから突出した支持要素４及び５と、ハウジング１内に配置された電気駆動機構Ａの駆動ピン１０とを通すための幾つかの穴７、８、９が上面６に設けられたハウジング１の上部分を示す。駆動ピン１０は、ハウジング部品Ｇに連結要素Ｋ（図３参照）を介して揺動するように取り付けられたカッター要素Ｓに対して、矢印Ｐの方向で往復動する駆動運動を伝達するため、連結要素１１の溝１２と係合する。ハウジング部品Ｇは、両側の二つの端壁１３、１４と、これらの端壁を支持するハウジング中央部分１５とを含む。二つの端壁１３及び１４の間には取り外し自在のフレームＷＲが戻り止め機構Ｒによって取り外し自在に保持されている。取り外し自在のフレームＷＲは、少なくとも一つのカッター要素Ｓ、及び／又は協働する二つのカッター要素を含む一つのカッターユニットを受け入れる。戻り止め要素１８、１９が、移動自在のカッター要素Ｓの揺動方向即ち矢印Ｐの方向に対して横方向に及ぼすことができる係止力は、戻り止め要素１８、１９の着座面８０、９０と取り外し自在のフレームＷＲの戻り止め着座面２０、２１とを空間的に整合することによって、位置−力成分ＦＳ及び保持−力成分ＦＵに変換することができる（図３及び図４参照）。この変換は、位置−力成分ＦＳが水平方向（＋）ｘに作用することにより、取り外し自在のフレームＷＲをハウジング部品ＧのストップＡＧに押し付けると同時に、保持−力成分ＦＵがハウジング１に向かって垂直方向下方（−）ｙに作用することにより、取り外し自在のフレームを戻り止め要素１８、１９によってハウジング部品Ｇ上に保持するように行われる。
【００２１】
図２の実施の形態では、シェービングヘッドのハウジング部品Ｇは、枢軸Ｚ−Ｚを中心として枢動するように支持要素４及び５に取り付けられている。これを行うため、支持要素４及び５は、シェービングヘッドが枢軸の領域で枢動ベアリング（図示せず）によって確実に枢動できるように端壁１３及び１４の内部に突出している。別の実施の形態では、シェービングヘッドのハウジング部品Ｇを、電気髭剃機のハウジング１にしっかりと固定してもよいし、ハウジングの構成部品（図示せず）として形成してもよい。支持要素４及び５は、ハウジング１にしっかりと固定されているか、あるいは、変形例では、少なくとも矢印Ｐの方向に移動するように取り付けられている。ハウジング部品Ｇには二つの押しボタン１６、１７が設けられており、これらのボタンは、戻り止め機構Ｒを作動することによって、取り外し自在のフレームＷＲを取り外す目的で、その係止解除を可能にする。
【００２２】
図３は、シェービングヘッドの別の構成部材及びこれらの構成部材のハウジング部品Ｇでの配置を明らかにするため、ハウジング１の上部分を、ハウジング部品Ｇが上側に取り付けられているが取り外し自在のフレームＷＲが取り外してある状態で示す。戻り止め要素１８及び１９はそれぞれ、ハウジング中央部分１５の端壁１３及び１４と隣接して弾性的に取り付けられている。下カッター２２として形成されたカッター要素Ｓが、内面３６、３７を持つ二つの端壁１３及び１４の間で連結要素Ｋに配置されている。連結要素Ｋ及びそのカッター要素Ｓは、ハウジング中央部分１５に移動自在に配置されており、駆動ピン１０の駆動運動を伝達するため、連結要素１１に連結されている。各戻り止め要素１８及び１９には、着座面８０及び着座面９０が設けられている。これらの着座面８０及び９０は楔状をなして互いに向かって延びており、戻り止め要素１８及び１９の端部に設けられている。
【００２３】
図４は、ハウジング１の上部分を、ハウジング部品Ｇが上側に配置されており、取り外し自在のフレームＷＲが矢印Ｅの方向が示す引き出し方向に取り外された状態で示す。取り外し自在のフレームＷＲは、本質的には、長さ方向即ち矢印Ｐの方向に延びる二つのバー３２及び３３と、これらのバー３２及び３３を連結する端壁３４及び３５と、バー３２、３３と端壁３４、３５との間に着座した少なくとも一つの外カッター２５とを含む。端壁１３及び１４の内面３６及び３７、及び端壁３４及び３５の外面３８及び３９は、ハウジング中央部分１５の領域での端壁１３及び１４の相対的距離が外カッター２５のレベルでの端壁１３及び１４の相対的距離よりも小さいように、電気髭剃機ＴＲの垂直方向中央軸線Ｖに対して楔状の形体をなして延びている。この形状により、取り外し自在のフレームＷＲがハウジング部品Ｇに係止された状態で、端壁３４及び３５が端壁１３及び１４の内面３６及び３７と接触するか、あるいはほぼ接触するという結果が得られる。
【００２４】
押しボタン１６、１７を操作することにより、取り外し自在のフレームＷＲの係止解除を行うことができる。取り外し自在のフレームＷＲが図示の位置にある状態では、戻り止め要素１８、１９は、取り外し自在のフレームＷＲのバー３２、３３に設けられた着座面２０、２１から、例えば図４に破線で示すように、係合解除されている。
【００２５】
図５は、ハウジング部品Ｇ内にて相対的に反対方向に移動することができる戻り止め要素１８、これらの戻り止め要素と関連した着座面２０、及び取り外し自在のフレームＷＲの領域でのハウジング部品Ｇの断面図を示す。この図に示す実施の形態では、取り外し自在のフレームＷＲは、短毛カッターユニットＫＨＳの外カッター２５及び２６及び長毛カッターユニットＬＨＳを受け入れる。取り外し自在のフレームＷＲの長さ方向に延びるバー３２、３３には、戻り止め要素１８とそれぞれ係合するための傾斜した着座面２０がそれぞれ形成されている。二つの戻り止め要素１８の間には、ばね要素５２が着座しており、このばね要素により、二つの戻り止め要素１８は係止位置に保持される。係止位置では、戻り止め要素は、ハウジング部品Ｇの長さ方向側壁５３及び５４のそれぞれから突出している。取り外し自在のフレームＷＲをハウジング部品Ｇから矢印Ｅが示す引き出し方向に取り外すとき、着座面２０、２１の傾斜面がハウジング部品Ｇから突出した戻り止め要素１８、１９の着座面８０、９０に圧力を及ぼし、戻り止め要素１８、１９をばね要素５２の圧力に抗してハウジング部品Ｇの内部に移動する。この移動は、バー３２及び３３の着座面２０、２１が、形成された全ての戻り止め要素１８及び１９を通過して移動するまで行われる。次いで、これにより、取り外し自在のフレームＷＲをハウジング部品Ｇから解放する。
【００２６】
ばね要素５２が二つの戻り止め要素１８に及ぼすばね力は、戻り止め要素１８の着座面９０を介して、取り外し自在のフレームＷＲのバー３２、３３に設けられた傾斜した着座面２０に、係止力ＦＲとして作用する。着座面２０が係止力ＦＲの水平方向作用方向に対して所定の角度βをなして延びているため、係止力ＦＲは、ばね力が作用する戻り止め要素１８の着座面９０を介して、矢印Ｅの方向とは反対方向に作用する対応する保持−力成分ＦＵに変換され（図２参照）、これによって取り外し自在のフレームＷＲをハウジング部品Ｇに係止された状態に保持する。ばね要素の作用を受け且つ取り外し自在のフレームに設けられた着座面２１に当接する戻り止め要素１９の係止領域にも同様の構造及び機能が存在する。
【００２７】
図６は、ばね要素５２により作用が及ぼされる戻り止め要素１８を有する取り外し自在のフレームの、図５のＡ−Ａ線に沿った断面図である。ばね要素５２が二つの戻り止め要素１８に及ぼすばね力は、戻り止め要素１８の着座面９０を通して取り外し自在のフレームＷＲのバー３２、３３の傾斜した着座面２０に係止力ＦＲとして作用する。着座面２０が係止力ＦＲの水平方向の作用方向に対して所定の角度αをなして延びるため、係止力ＦＲは、ばね力が作用する戻り止め要素１８の着座面９０を介して、対応する位置−力成分ＦＳに変換され、これによって、取り外し自在のフレームＷＲは、ハウジング部品ＧのストップＡＧに矢印Ｐの方向のうちの方向Ｐ１で当たった状態に保持される。図６に示す状態では、取り外し自在のフレームＷＲの外面３８は、ハウジング部品Ｇの端壁１４の内面３６が形成するストップＡＧに載止している。
【００２８】
図７、図７ａ、図７ｂ、図７ｃ、及び図７ｄは、例えば、着座面２０及び２１の傾斜経路の視覚的表示を提供するため、取り外し自在のフレームＷＲのバー３３を概略に示す。バー３３の内壁には、比較的広幅の相対的間隔（図２参照）で、着座面２０、２１が突出部１１０及び１１１の構成部分として形成されており、これらの着座面２０、２１の空間的整合を座標系を参照して更に詳細に説明する。ここでは、取り外し自在のフレームＷＲに設けられた全ての着座面２０、２１に代えて突出部１１１を用いる。
【００２９】
図７ａに示すｘ軸は、取り外し自在のフレームＷＲのバー３３の長さ方向、即ち下カッター２２（図３参照）の揺動方向Ｐと平行に延びている。ｙ軸はｘ軸と直角に交差する。座標の原点からいうと、戻り止め要素１９と着座係合する接触線１００の特徴を持つ着座面２１は、ｘ軸及びｙ軸の両方に対して所定の傾斜角度γをなして延び、これによって、位置−力成分ＦＳ（図６参照）が（＋）ｘ方向に作用する。
【００３０】
図７ｂは、ｙ軸及びこのｙ軸と直角に交差するｚ軸を示す。これは、着座面２１の傾斜経路を座標の原点から示すためである。ｚ軸は、係止力ＦＲの作用方向を示す。着座面２１は、ｚ軸及びｙ軸の両方に対して所定の傾斜角度βをなして延び、これによって、保持−力成分ＦＵが（−）ｙ方向に作用する。
【００３１】
図７ｃは、バー３３、及び着座面２０、２１及び接触線１００を含む突出部１１０及び１１１の側面図を示す。
【００３２】
図７は、取り外し自在のフレームＷＲのバー３３を概略的に例示する斜視図を示す。バーには突出部１１０、１１１が形成されており、これらの突出部には着座面２０及び２１が設けられている。
【００３３】
図７ｄは、図７乃至図７ｃの突出部１１０、１１１が形成されたバー３３、並びに着座面８０、９０が接触線１００と係合する戻り止め要素１８、１９の斜視図を示す。
【００３４】
ハウジング中央部分１５に弾性的に配置された戻り止め要素１８、１９（図３及び図５参照）の一端には、着座面８０又は９０が設けられている。取り外し自在のフレームＷＲを何等かの方法で設置できるようにするため、戻り止め要素１８、１９の各々には、図８及び図９に示すように、着座面８０及び９０が設けられている。これらの着座面８０及び９０は、図９に座標で示すように、ｘ軸に対して所定角度γで楔形状をなすように延びている。着座面８０及び９０は、非常に狭幅の構造であり、突出部１１０、１１１の着座面２０及び２１との係合時に、これらの着座面２０、２１と８０、９０との間が、図示の接触線１００で示すように、線をなして接触する。
【００３５】
図１０は、取り外し自在のフレームＷＲの部分の斜視図を例として示す。この図は、着座面２０、２１を有する突出部１１０、１１１が形成されたバー３３を示す。バー３３の端部には、端壁３４、３５が形成されており、着座面２０、２１の形状を明らかにするため、前記端壁の半分だけを示す。戻り止め要素１８、１９によって及ぼされた係止力ＦＲの、図５、図６、及び図７乃至図７ｄを参照して示した保持−力成分ＦＵ及び位置−力成分ＦＳへの変換の立体的表示を提供するため、図１０は、例えば着座面２１に関する座標系における着座面２０、２１、８０、９０の空間的整合と対応する全ての空間座標ｘ、ｙ、及びｚ、及び角度β及びαを示す。空間座標の原点は、接触線１００の中央に選択された接触箇所によって決定される。この表示及び図４の表示から明らかなように、バー３２及び３３に設けられた全ての着座面２０及び２１を、座標軸ｘ及びｙに対し、角度γで傾斜させる必要がある。これは、位置−力成分ＦＳを（＋）ｘ方向で発生し、この力によって取り外し自在のフレームＷＲを移動してハウジング部品ＧのストップＡＧに当て、取り外し自在のフレームＷＲを前記ストップＡＧに対して実質的に振動がないように保持するためである。
【図面の簡単な説明】
【図１】  シェービングヘッド（ハウジング部品と、カッター要素を有する取り外し自在のフレームとを含む）がハウジング上に配置された、電気髭剃機の正面図である。
【図２】  取り外し自在のフレーム（ハウジング部分に係止された状態で示されている）を有するシェービングヘッドが上側に配置された、電気髭剃機のハウジングの上部分の図である。
【図３】  ハウジング部品が上側に配置されているが取り外し自在のフレームが設けられていない、電気髭剃機のハウジングの上部分の図である。
【図４】  ハウジング部品が上側に配置されており、取り外し自在のフレームＷＲを非係止位置で示す、長さ方向側壁の内側に着座面が形成された、ハウジングの上部分の図である。
【図５】  戻り止め要素の領域でのハウジング部品及び取り外し自在のフレームに設けられた着座面の断面図である。
【図６】  取り外し自在のフレームの着座面と戻り止め要素との協働を示す、図５の取り外し自在のフレームの長さ方向側壁及び端壁の断面図である。
【図７】  図７、図７ａ、図７ｂ、及び図７ｃは、取り外し自在のフレームの長さ方向側壁に形成された着座面を示す、着座面の輪郭を含む概略図であり、図７ｄは、着座面が形成された取り外し自在のフレームの長さ方向側壁、及び取り外し自在のフレームの長さ方向側壁の着座面に着座面が作用を及ぼす戻り止め要素を示す概略図である。
【図８】  互いに向かって楔状をなして延びる着座面を有する戻り止め要素の斜視図である。
【図９】  互いに向かって楔状をなして延びる戻り止め要素の着座面の正面図である。
【図１０】  着座面及び端壁の半分を示す、取り外し自在のフレームのバーの内側の斜視図である。
【図１】
0004316142.tif 000002
【図２】
0004316142.tif 000003
【図３】
0004316142.tif 000004
【図４】
0004316142.tif 000005
【図５】
0004316142.tif 000006
【図６】
0004316142.tif 000007
【図７】
0004316142.tif 000008
【図７ａ】
0004316142.tif 000009
【図７ｂ】
0004316142.tif 000010
【図７ｃ】
0004316142.tif 000011
【図７ｄ】
0004316142.tif 000012
【図８】
0004316142.tif 000013
【図９】
0004316142.tif 000014
【図１０】
0004316142.tif 000015